(57)【特許請求の範囲】
【請求項１】
ケース本体内にテープが巻かれる単一のリールが配置してあり、テープの繰り出し端に、リーダーテープを介してテープドライブ側の捕捉体が係止する先導ピースを備えている単リール型の磁気テープカートリッジにおいて、
前記先導ピースは、前記リーダーテープの端部が固定される垂直状の金属製のピンと、前記ピンの上下両端に固定されて横向きの水平状に延びるプラスチック製の掛止アームとでコ字枠状に形成されており、
前記両掛止アームの成形時に前記ピンをインサート固定して、前記ピンと前記掛止アームとが一体化してあり、
前記ピンには、前記リーダーテープの上下方向の位置ずれを規制するための段部が形成されており、
前記リーダーテープの端部に設けた連結部の少なくとも上下の一端縁が前記段部に受け止められた状態で、前記連結部を前記ピンに巻き掛け連結することにより、前記ピンに対する前記リーダーテープの上下方向の位置決めが図られており、
前記ピンは、上下に長い丸軸からなり、その上下方向の中途部に他の部分より大径のロック軸部を有し、前記ロック軸部の上下に前記ロック軸部より小径の巻付軸部を有し、前記ロック軸部の上下に前記段部が形成されており、
前記リーダーテープの端部に、テープ幅方向の中途部に切欠を設けて、前記切欠で上下に分断される一対の前記連結部が設けられており、
前記段部に前記連結部の上下方向の端縁が受け止められた状態で、前記巻付軸部に前記連結部がそれぞれ巻き掛け連結されていることを特徴とする単リール型の磁気テープカートリッジ。
【請求項２】
ケース本体内にテープが巻かれる単一のリールが配置してあり、テープの繰り出し端に、リーダーテープを介してテープドライブ側の捕捉体が係止する先導ピースを備えている単リール型の磁気テープカートリッジにおいて、
前記先導ピースは、前記リーダーテープの端部が固定される垂直状の金属製のピンと、前記ピンの上下両端に固定されて横向きの水平状に延びるプラスチック製の掛止アームとでコ字枠状に形成されており、
前記両掛止アームの成形時に前記ピンをインサート固定して、前記ピンと前記掛止アームとが一体化してあり、
前記ピンには、前記リーダーテープの上下方向の位置ずれを規制するための段部が形成されており、
前記リーダーテープの端部に設けた連結部の少なくとも上下の一端縁が前記段部に受け止められた状態で、前記連結部を前記ピンに巻き掛け連結することにより、前記ピンに対する前記リーダーテープの上下方向の位置決めが図られており、
前記ピンは、上下に長い丸軸からなり、その上下方向の中途部に、上下端に前記段部を有する他より小径の巻付軸部が形成されており、
前記巻付軸部に、前記リーダーテープの端部に設けた前記連結部を、前記連結部の上下端縁が前記段部にそれぞれ受け止められた状態で巻き掛け連結してあることを特徴とする単リール型の磁気テープカートリッジ。
【請求項３】
前記掛止アームにインサートされる前記ピンの上下両端に、前記掛止アームと前記ピンとの相対回動および上下方向への分離を阻止するアンカー部が、それぞれ一体に成形されている請求項１又は２記載の単リール型の磁気テープカートリッジ。
【請求項４】
前記ピンが断面円形の丸軸で形成されており、
前記アンカー部が、前記ピンの上下の軸端部を末拡がり状に押し潰して形成されている請求項３記載の単リール型の磁気テープカートリッジ。
【請求項５】
前記両掛止アームの上下対向面のそれぞれに、前記捕捉体が係止する掛止溝が凹み形成されており、
前記掛止溝は、前記両掛止アームの前面側に設けた導入案内面に連続して形成されていて、その溝始端が前記ピンを有するアーム基端部へ向かって開口している請求項１乃至４のいずれかに記載の単リール型の磁気テープカートリッジ。
【請求項６】
前記ケース本体の前面に開口したテープ引出口に、不使用時の前記先導ピースを待機姿勢に保持するためのアーム受部とロックピースとが、それぞれ設けられており、
前記アーム受部は、前記テープ引出口に臨む前記ケース本体の内面の上下に、前記掛止アームの内面側の外郭線に沿う鉤形の凹みとして形成されており、
前記ロックピースは、前記ピンをロック姿勢に保持するロックアームを備えていて、前記ロックアームが前記ピンに係合するロック位置と、前記ロックアームが前記ピンとの係合を解除するアンロック位置とにわたって往復揺動できるよう前記ケース本体に支持されて、ばねでロック位置へ向かって揺動付勢されている請求項１乃至５のいずれかに記載の単リール型の磁気テープカートリッジ。
【請求項７】
前記リーダーテープが、弾性を有する硬質テープで形成されている請求項１乃至６のいずれかに記載の単リール型の磁気テープカートリッジ。
【請求項８】
前記段部の径方向の段差寸法が、前記リーダーテープの厚み寸法の２分の１以上に設定されている請求項１乃至７のいずれかに記載の単リール型の磁気テープカートリッジ。  
【発明の詳細な説明】
【０００１】
【発明の属する技術分野】
本発明は、テープの繰り出し端に、ケース本体の外方にテープを引き出し操作するための先導ピースが設けてある単リール型の磁気テープカートリッジに関する。
【０００２】
【従来の技術】
この種の磁気テープカートリッジの従来技術に特開平１１−２３２８２６号公報がある。そこでは、先導ピースを直線軸状の金属ピンで形成し、その軸部分にテープ繰り出し端を巻き付けて、断面Ｃ字状の緩衝体とクリップとで分離不能に抱持することにより接続している。先導ピースの上下両端には他の軸部分より大径の係合軸部が設けてあり、これを上下ケースの上壁および底壁に凹み形成した一対の軸受部およびばねで係合保持して、不使用時に先導ピースを待機姿勢に保持している。
【０００３】
【発明が解決しようとする課題】
上記のように単リール型の磁気テープカートリッジにおいては、テープ繰り出し端に先導ピースを設け、この先導ピースを捕捉することによって、テープドライブによるテープ引き出しを確実化する必要がある。そのためには、不使用時の先導ピースの待機姿勢を常に適正に保持することや、テープと先導ピースとに上下方向の位置ずれや、角度のずれのないこと等が、テープ引き出しを確実化するための前提条件となる。また、落下衝撃等の強い外力を受ける場合にも、先導ピースを適正な待機姿勢に維持できることが求められる。
【０００４】
しかし、クリップの弾性でテープを抱持固定する従来例の場合には、テープを先導ピースの軸部に密着する状態で巻き付けた後、その状態を維持したままで緩衝体とクリップとを軸部に対して順に外嵌装着するので、テープが先導ピースに対して傾いた状態のままで連結されてしまうおそれがある。また、待機状態においては、起立姿勢の先導ピースの上下両端をばねで押圧して保持しているが、例えば落下衝撃を受けたような場合に、先導ピースがばねの保持部から抜け出て傾倒しやすい。
【０００５】
そこで、本発明者等は、添付図面を借りて説明すると、上下一対の掛止アーム１５と、両掛止アーム１５の基端部どうしを繋ぐピン１４とで、先導ピース１３を傾倒しにくいコ字枠形に構成することを考えた。これによれば、試験の結果、先の丸軸状の先導ピースに比べて、外部衝撃に強く傾倒しにくい先導ピース１３になることが確認できた。
【０００６】
本発明の目的は、ピンと上下一対の掛止アームとからなる先導ピースを、より高い精度でしかも低コストで製造し、その分だけ単リール型のテープカートリッジの製造コストを削減化することにある。本発明の目的は、先導ピースの構造強度を向上し、併わせて金属製のピンとプラスチック製の掛止アームとの結合強度を向上して、耐久性に優れた先導ピースを得ることにある。本発明の目的は、先導ピースを不使用時状態において適正な姿勢で待機保持でき、従ってテープドライブ側の捕捉体による先導ピースの連結捕捉が常に的確に行える単リール型のテープカートリッジを提供することにある。本発明の目的は、先導ピースに対してテープを上下に位置ずれすることなく連結でき、しかも上下方向の外力が作用しても、先導ピースのピンに対してテープがズレ動くのを確実に規制して、テープドライブ側の捕捉体によるテープ引き出し動作が常に適正に行えるようにした単リール型の磁気テープカートリッジを提供することにある。
【０００７】
【課題を解決するための手段】
本発明は、図２に示すごとくケース本体１内にテープ３が巻かれる単一のリール２が配置してあり、テープ３の繰り出し端に、リーダーテープ１２を介してテープドライブ側の捕捉体５０（図６参照）が係止する先導ピース１３を備えている単リール型の磁気テープカートリッジにおいて、先導ピース１３は、図１に示すごとくリーダーテープ１２の端部が固定される垂直状の金属製のピン１４と、このピン１４の上下両端に固定されて横向きの水平状に延びるプラスチック製の掛止アーム１５とでコ字枠状に形成されており、両掛止アーム１５の成形時に前記ピン１４をインサート固定して、該ピン１４と前記掛止アーム１５とが一体化してある。
図３に示すごとく前記ピン１４に、前記リーダーテープ１２の上下方向の位置ずれを規制するための段部３０が形成されており、リーダーテープ１２の端部に設けた連結部１２ａの少なくとも上下の一端縁が前記段部３０に受け止められた状態で、前記連結部１２ａを前記ピン１４に巻き掛け連結することにより、前記ピン１４に対する前記リーダーテープ１２の上下方向の位置決めが図られている。
図３に示すごとく前記ピン１４の上下方向の中途部に他の部分より大径のロック軸部１４ａを有し、このロック軸部１４ａの上下に該ロック軸部１４ａより小径の巻付軸部１４ｂを有し、ロック軸部１４ａの上下に前記段部３０が形成されており、前記リーダーテープ１２の端部に、テープ幅方向の中途部に切欠３１を設けて、該切欠３１で上下に分断される一対の前記連結部１２ａが設けられており、前記段部３０に前記連結部１２ａの上下方向の端縁が受け止められた状態で、前記巻付軸部１４ｂにそれぞれ前記連結部１２ａが巻き掛け連結されている。
【０００８】
また、本発明は、図２に示すごとくケース本体１内にテープ３が巻かれる単一のリール２が配置してあり、テープ３の繰り出し端に、リーダーテープ１２を介してテープドライブ側の捕捉体５０（図６参照）が係止する先導ピース１３を備えている単リール型の磁気テープカートリッジにおいて、先導ピース１３は、図１に示すごとくリーダーテープ１２の端部が固定される垂直状の金属製のピン１４と、このピン１４の上下両端に固定されて横向きの水平状に延びるプラスチック製の掛止アーム１５とでコ字枠状に形成されており、両掛止アーム１５の成形時に前記ピン１４をインサート固定して、該ピン１４と前記掛止アーム１５とが一体化してある。
図３に示すごとく前記ピン１４に、前記リーダーテープ１２の上下方向の位置ずれを規制するための段部３０が形成されており、リーダーテープ１２の端部に設けた連結部１２ａの少なくとも上下の一端縁が前記段部３０に受け止められた状態で、前記連結部１２ａを前記ピン１４に巻き掛け連結することにより、前記ピン１４に対する前記リーダーテープ１２の上下方向の位置決めが図られている。
図７に示すごとく前記ピンは、上下に長い丸軸からなり、その上下方向の中途部に、上下端に前記段部３０を有する他より小径の巻付軸部１４ｂが形成されており、該巻付軸部１４ｂに、前記リーダーテープ１２の端部に設けた前記連結部１２ａを、該連結部１２ａの上下端縁が前記段部３０にそれぞれ受け止められた状態で巻き掛け連結してある。
【０００９】
掛止アーム１５にインサートされるピン１４の上下両端に、掛止アーム１５とピン１４との相対回動および上下方向への分離を阻止するアンカー部１４ｃが、それぞれ一体に成形されている。
【００１０】
前記ピン１４が断面円形の丸軸で形成されており、前記アンカー部１４ｃが、図４に示すごとく前記ピン１４の上下の軸端部を末拡がり状に押し潰して形成されている。
【００１１】
図３に示すごとく両掛止アーム１５の上下対向面のそれぞれに、前記捕捉体５０（図６参照）が係止する掛止溝１６が凹み形成されており、掛止溝１６は、両掛止アーム１５の前面側に設けた導入案内面１７に連続して形成されていて、その溝始端１８が前記ピン１４を有するアーム基端部へ向かって開口している。
【００１２】
ケース本体１の前面に開口するテープ引出口４に、図４および図５に示すごとく不使用時の前記先導ピース１３を待機姿勢に保持するためのアーム受部２１とロックピース２２とがそれぞれ設けられており、アーム受部２１は、テープ引出口４に臨むケース本体１の内面の上下に、掛止アーム１５の内面側の外郭線に沿う鉤形の凹みとして形成されており、ロックピース２２は、前記ピン１４をロック姿勢に保持するロックアーム２４を備えていて、ロックアーム２４がピン１４に係合するロック位置と、ロックアーム２４がピン１４との係合を解除するアンロック位置とにわたって往復揺動できるようケース本体１に支持されて、ばね２６でロック位置へ向かって揺動付勢されている。
【００１３】
前記リーダーテープ１２が、弾性を有する硬質テープで形成されている。
【００１４】
前記段部３０の径方向の段差寸法Ｄが、図１に示すごとく前記リーダーテープ１２の厚み寸法Ｔの２分の１以上に設定されている。
【００１７】
【発明の作用効果】
本発明によれば、前記両掛止アームの成形時に前記ピンを金型内に装填して、前記ピンの両端が前記両掛止アームの内部に埋入する状態で、前記ピンを前記両掛止アームにインサート固定するので、前記掛止アームと前記ピンとの相対位置や、直交度あるいは一体化した後の前記掛止アームの対向間隔および平行度等を高い精度で実現できる。例えば、前記ピンを前記両掛止アームの成形後に圧入して一体化する場合に比べて、前記先導ピースの仕上り形状にばらつきが生じるのを一掃できる。前記両掛止アームの成形時に前記ピンを一体化できるので、前記ピンと前記掛止アームとを一体化するための作業を別途行う必要がなく、その分だけ前記先導ピースを低コストで製造できる。また、前記ピンと上下一対の前記掛止アームとでコ字枠状の剛体として構成した前記先導ピースは、ストレートピンのみからなる先導ピースに比べて傾倒しにくいうえ、上下一対の前記掛止アームを利用して位置決めできるので、前記先導ピースを常に適正な待機姿勢に保持することができる。従って長期使用時にも、テープドライブ側の前記捕捉体によるテープ引き出し操作を、前記先導ピースを介して支障なく行うことができる。
【００１８】
本発明によれば、前記ピンの両端に、予め前記アンカー部を設けておき、前記アンカー部を前記掛止アームにインサート固定するので、前記先導ピースの成形後に、前記掛止アームと前記ピンとが相対回動したり、あるいは前記掛止アームが前記ピンから抜け外れたりするのを確実に防止できるので、両者の結合強度が向上し、出き上がった前記先導ピースの構造強度が向上する。
【００１９】
本発明によれば、断面円形の丸軸からなる前記ピンの上下の軸端部を末拡がり状に押し潰して前記アンカー部を形成しているので、前記アンカー部が簡単に加工でき、そのうえで前記掛止アームと前記ピンとが相対回動したり、前記掛止アームが前記ピンから抜け外れたりするのを確実に防止できる。
【００２０】
本発明によれば、前記両掛止アームの前面に、前記捕捉体用の前記掛止溝と前記導入案内面とを連続して設け、該掛止溝の溝始端が前記ピン側のアーム基端部に向かって開口しているので、前記捕捉体の上下を前記導入案内面に当てがった状態のまま、該導入案内面に沿って横移動させることにより、前記捕捉体を前記掛止溝に容易に案内して確実に係止できる。換言すると、前記捕捉体による前記先導ピースの捕捉動作を単純化できるので、テープドライブ側の前記捕捉体の駆動構造を簡素化できる。
【００２１】
本発明によれば、前記テープを前記リールで巻き戻した状態において、前記先導ピースの上下の前記掛止アームは、前記ケース本体の内面の上下の前記アーム受部で受け止められて位置決めされる。さらに、前記ピンが前記ロックピースの前記ロックアームでロック保持されることにより、前記先導ピースが前記アーム受部から不用意に抜け外れることがない。このように、不使用時の前記先導ピースを前記アーム受部と前記ロックピースとで協働して位置保持すると、前記先導ピースを常に適正な位置に適正な姿勢で待機保持できるので、前記捕捉体による先導ピースの捕捉連結を的確に行え、単リール型のテープカートリッジの信頼性を向上できる。落下衝撃を受けた前記先導ピースが傾倒したり、所定の待機位置からずれ動くのも確実に防止できる。
【００２２】
本発明によれば、前記リーダーテープの前記連結部を前記先導ピースの前記ピンに巻き付けて連結するに際し、前記ピンに前記段部を設けておき、組立作業時に該段部を位置決め基準にして、前記連結部をその上下の一端縁が該段部に受け止められた状態で前記ピンに巻き掛け連結するので、前記リーダーテープを前記ピンに対して適正な位置決め状態で連結できる。さらに、使用時には、前記リーダーテープや前記ピンに作用する上下方向の外力を前記段部で受け止めて、前記リーダーテープと前記ピンとが相対的に上下方向へずれ動くのを確実に阻止できる。従って、待機状態における前記先導ピースと前記リーダーテープとの位置関係を適正な状態に維持して、テープドライブ側の前記捕捉体によるテープ引き出し作業を常に的確に行える。
【００２３】
本発明によれば、前記リーダーテープが弾性を有する硬質テープで形成されているので、その前記連結部の上下端縁の一方または双方が前記段部に当たったときにも、前記連結部の上下端縁の変形や折れ曲がりを防止して、前記テープと前記先導ピースとの上下方向の位置ずれをよく規制できる。
【００２４】
本発明によれば、前記ピンの上下方向の中途部に、上下端に前記段部を有する大径の前記ロック軸部を形成しておき、前記リーダーテープの端部に設けた上下の前記連結部を上下の小径の前記巻付軸部に巻き掛け連結するようになっている。従って、上下の前記連結部を前記巻付軸部にそれぞれ巻き付けて反転した後、その反転端をテープ面に接着ないし溶着などにより固定することになるが、その際に、上下に離れた前記連結部を前記ピンに対して個別に連結することになるので、連結状態における前記ピンと前記リーダーテープとの縦横方向の角度のずれを最小限化できる。前記リーダーテープに作用する引っ張り力は、前記リーダーテープの上下端縁側に分散する状態で作用させることができるので、前記リーダーテープに過大な引っ張り荷重が作用する場合にも、引っ張り力が一点に集中して、前記リーダーテープが破損するのをよく防止できる。
【００２５】
本発明によれば、上下端に前記段部を有する小径の前記巻付軸部を前記ピンに形成しておき、前記巻付軸部に前記リーダーテープの連結部を巻き掛け連結する。この場合にも、前記リーダーテープと前記ピンとが相対的に上下にずれ動くのを規制して、テープドライブ側の前記捕捉体によるテープ引き出し作業を常に適正に行うことができる。
【００２６】
本発明によれば、前記段部の径方向の段差寸法が、前記リーダーテープの厚み寸法の２分の１以上に設定されているので、前記ピンと前記連結部との間に遊動隙間が設けてある場合にも、前記連結部が前記段部を乗り越えて上下にずれ動くのを確実に防止できる。
【００２７】
【実施例】
図１ないし図６は、本発明に係る単リール型のテープカートリッジの実施例を示す。図２において、テープカートリッジは、上下ケース１ａ・１ｂを蓋合わせ状に結合してなる角箱状のケース本体１を有する。ケース本体１の内部には１個のリール２を配置してあり、このリール２にテープ３が巻き込んである。ケース本体１の前面にはテープ引出口４が開口している。ケース本体１には、テープ引出口４を開閉するドア５が揺動自在に軸支されている。ドア５は図外のばねで閉じ勝手に移動付勢されている。ドア５がテープ引出口４を閉止した位置において、ドア５は図外のロック機構でロック保持される。
【００２８】
ケース本体１の対向する内隅の２個所には、リールロック手段６・７が設けてある。リール２には下フランジの外周にギヤ歯が設けてある。不使用時に、リールロック手段６・７は前記ギヤ歯に係合してリール２を遊転不能にロック保持する。ケース本体１には、背壁の左右の一側（図では左側）に誤消去防止用の切換ピース８が設けてある。リール２と上ケース１ａとの間には、リール２を下ケース１ｂの側へ向かって押し下げ付勢するばね９が配置してある。このばね９とリール２とは遊転自在な鋼ボール１０を介して接している。
【００２９】
リール２に巻き込んだテープ３は、これの端部がテープドライブの捕捉体５０で自動的に捕捉される。そのために、テープ３の繰り出し端に設けたリーダーテープ１２には、先導ピース１３が設けられている。図３において先導ピース１３は、リーダーテープ１２の端部が固定される垂直状のステンレス製のピン１４と、ピン１４の上下両端に固定されて横向きの水平状に延びるプラスチック製の一対の掛止アーム１５とでコ字枠状に構成されている。リーダーテープ１２は、例えばポリエチレンテレフタレートやボリブチレンテレフタレートなどの、弾性に富む硬質のプラスチックシートで形成されている。リーダーテープ１２の端部には、上下のテープ幅方向の中途部に切欠３１を設けることにより、上下に分断された連結部１２ａ・１２ａを有する。この両連結部１２ａ・１２ａをそれぞれピン１４に巻き掛けて反転した後、この反転端部をリーダーテープ１２のテープ面に接着することにより、リーダーテープ１２の端部がピン１４に接続されている。リーダーテープ１２とピン１４との間には僅かな遊動隙間を設けてあって、ピン１４はリーダーテープ１２に対して相対的に回転できる。
【００３０】
図３においてピン１４は、上下に長い丸軸からなり、その上下方向の中央部に他の部分より大径のロック軸部１４ａを有し、ロック軸部１４ａの上下にロック軸部１４ａより僅かに小径の巻付軸部１４ｂ・１４ｂを有し、さらに巻付軸部１４ｂ・１４ｂのそれぞれの軸端にアンカー部１４ｃ・１４ｃを形成してある。リーダーテープ１２の上下の前記連結部１２ａ・１２ａは、それぞれが上下の巻付軸部１４ｂ・１４ｂに前述の要領で巻き掛け連結されている。各巻付軸部１４ｂ・１４ｂはロック軸部１４ａより小径であるから、ロック軸部１４ａの上下には段部３０・３０を有する。リーダーテープ１２の上方の連結部１２ａの下端縁は、ロック軸部１４ａの上方の前記段部３０に受け止められ、下方の連結部１２ａの上端縁は、ロック軸部１４ａの下方の前記段部３０に受け止められ、これによってピン１４に対するリーダーテープ１２の上下方向の位置決めが図られているとともに、さらに各連結部１２ａとピン１４とが上下にずれ動くのを阻止している。なお、段部３０の径方向の段差寸法Ｄは、図１に示すごとくリーダーテープ１２の厚み寸法Ｔの２分の１以上に設定してある。より好ましくは、先の段差寸法Ｄはリーダーテープ１２の厚み寸法Ｔの２分の１に、ピン１４と連結部１２ａとの間の遊動隙間寸法を加えた合計値より大きく設定する。
【００３１】
後述するように、ピン１４は掛止アーム１５にインサート固定される。その際、成形後のピン１４と掛止アーム１５との相対回動および上下方向への分離をそれぞれ阻止するために、ピン１４の上下端には、前記アンカー部１４ｃ・１４ｃが設けられている。この実施例では、各アンカー部１４ｃが図４に示すごとくピン１４の上下の軸端部をそれぞれ末拡がり状に押し潰して形成されている。
【００３２】
図３および図５において各掛止アーム１５は、左右横長のプラスチック成形品からなり、その成形時に、各掛止アーム１５の基端部にピン１４がインサート固定される。上下の各掛止アーム１５はケース本体１の外面側へ向かって突弧状に湾曲形成されており、各掛止アーム１５の前面側にテープドライブ側の捕捉体５０が係止する掛止溝１６が形成されている。詳しくは、各掛止アーム１５の前面に、捕捉体５０を導入するための導入案内面１７をケース後方側へ向かって下り傾斜する状態で形成し、この傾斜面に連続して掛止溝１６がアーム先端側へ延びるように形成されている。これにより、上下の掛止アーム１５・１５は、上側の掛止溝１６が上壁を有し、下側の掛止溝１６が下壁を有し、両掛止溝１６・１６が上下に対向する状態で開口し、さらに各掛止溝１６の溝始端１８がピン１４を有する掛止アーム１５の基端部へ向かって開口している。なお、上下の掛止アーム１５・１５の対向間隔はテープ３の上下幅寸法より十分大きく設定しておく。従って、テープ３の移動軌跡が後述するアーム受部２１と接触干渉するのを阻止できる。捕捉体５０を掛止溝１６に連結した状態において、各掛止溝１６の前記上壁あるいは前記下壁は、テープドライブ側の捕捉体５０の掛止ピン１９の上下位置を位置決めするのに役立つ。
【００３３】
捕捉体５０は、図６に示すごとくテープドライブ側のリーダーテープの端に掛止ピン１９を固定して形成してあり、図外のローディングアームで掛止ピン１９を操作することにより、その上下両端の球軸１９ａが、図４に示すごとく掛止溝１６に掛け止められる。
【００３４】
不使用時の先導ピース１３は、ケース本体１を所定位置に待機姿勢で保持しておく必要がある。そのために、ケース本体１側には、図４および図５に示すごとくテープ引出口４に臨ませてアーム受部２１とロックピース２２とを設けてある。アーム受部２１はケース本体１の内面の上下に凹み形成する。詳しくは、テープ引出口４に臨むケース本体１の上下壁にそれぞれ低いリブを上下対向状に突設し、このリブを各掛止アーム１５のケース内面側の外郭線に沿うよう鉤形に湾曲させて、一端がケース内方へ凹むアーム受部２１を形成する。リーダーテープ１２と共に先導ピース１３をケース本体１の内部へ引き込んだ状態において、先導ピース１３は上下の各掛止アーム１５が上下のアーム受部２１に密接する状態で受け止められて、適正に位置決め保持される。
【００３５】
テープ弛みが発生した状況下においても、落下衝撃に耐えて先導ピース１３を上記の位置決め姿勢に保持するために、ロックピース２２で先導ピース１３のピン１４をロック姿勢に保持する。図４および図５においてロックピース２２は、縦向きのボス２３と、その外周面からそれぞれ左右逆の横向きに突設したロックアーム２４およびロック解除片２５を一体に形成したプラスチック成形品からなる。ボス２３は、上下端を上下ケース１ａ・１ｂに揺動自在に軸支し、さらにボス２３の下端に組み付けたばね２６でロックピース２２をロック姿勢に揺動付勢することにより、ロックアーム２４は先端側が常にケース内方へ向かって揺動付勢され、図４に示すようにロックアーム２４の先端に設けたフック部２７がピン１４の前記ロック軸部１４ａに係脱自在に係合する。不使用時に、ロックアーム２４はフック部２７がケース外面側からピン１４のロック軸部１４ａに外嵌係合しており、ロック解除片２５はケース本体１の前壁に開口した解除ピン挿入口２９と正対している。
【００３６】
以上のように不使用時の先導ピース１３が、アーム受部２１とロックピース２２とで協働して待機姿勢に保持されていると、先導ピース１３に作用する外部衝撃は、ロックピース２２がばね２６に抗して揺動することで緩和吸収できる。従って、たとえテープ３がケース内部で弛んでいたとしても、先導ピース１３がアーム受部２１からずれ動いたり、飛び出てしまうのを防止できる。また、外部衝撃力の消滅と同時に、ロックピース２２は前記ばね２６の付勢力を受けて先導ピース１３をアーム受部２１に復帰操作して密接させるので、先導ピース１３を常に適切な待機姿勢に保持できる。
【００３７】
不使用時のドア５は、図５に示すごとくテープ引出口４を塞いで先導ピース１３の外面を覆っている。そこで、ドア５の内面には、先導ピース１３の外面側の外郭線に合致する押圧部２８を設けて、先導ピース１３のとくに掛止アーム１５の先端側がアーム受部２１から浮き離れるのを阻止している。
【００３８】
テープカートリッジをテープドライブに装填すると、ドア５が開いてテープ引出口４を開放する。同時にリール２の遊転を阻止していた一対のリールロック手段６・７がロック解除される。ロックピース２２は、そのロック解除片２５が図６に示すごとくテープドライブ側の解除ピン５１で解除ピン投入口２９を介してケース本体１の内側後方へ押されることにより、ロックアーム２４のフック部２７がピン１４から外れる前方向きにロック解除操作される。リール２は、ケース本体１内にこれの下面側から進入して来るリール駆動軸と係合する。この状態でテープドライブ側の捕捉具５０がテープ引出口４内へ進入し、その掛止ピン１９の上下端が上下の掛止アーム１５・１５の掛止溝１６・１６に係合して、図６に示すように先導ピース１３を介してテープ３をケース本体１の外側前方へ引き出し、テープドライブ側のリールに巻き込む。テープ３に対するデータの書き込みあるいは読み出しが終了したら、テープ３はリール２に巻き戻され、先導ピース１３はアーム受部２１とロックピース２２とによって再び元の待機状態に位置決め保持される。
【００３９】
図７および図８はそれぞれ先導ピース１３とリーダーテープ１２との連結構造に関する本発明の別実施例を示す。図７の連結構造においては、ピン１４の上下方向の中途部に、上下端に段部３０を有する他より小径の巻付軸部１４ｂを形成して、この巻付軸部１４ｂに、リーダーテープ１２の端部に設けた１個の連結部１２ａを巻き掛け連結したものとなっている。この実施例の連結部１２ａの上下幅は、他のテープ面の上下幅より小さく寸法設定したが、連結部１２ａの上下幅はリーダーテープ１２のテープ幅と同幅にすることができる。
【００４０】
図８の連結構造では、基本的に図１に示す連結形態を採りながら、巻付軸部１４ｂの上下端のそれぞれに段部３０を設けて、合計４個の段部３０で上下に分断した各連結部１２ａの位置規制と遊動規制とを行うようにしてある。
【００４１】
上記以外に、図８の実施例におけるロック軸部１４ａを省略して、上側の連結部１２ａの上端縁と、下側の連結部１２ａの下端縁とをのみ上下の段部３０で受け止める形式にしてもよい。また、基本的には図７の実施形式において、前記ピン１４の上下の一方にのみ段部３０を設け、リーダーテープ１２の連結部１２ａの上端縁または下端縁のみを該段部３０で受け止めて位置規制を行ってもよい。
【図面の簡単な説明】
【図１】先導ピースとリーダーテープとの連結構造を示す正面図である。
【図２】テープカートリッジの全体の横断平面図である。
【図３】先導ピースの斜視図である。
【図４】テープ引出口の縦断正面図である。
【図５】先導ピースとその周辺部の内部平面図である。
【図６】ロックピースのロック解除状態を示す要部の横断平面図である。
【図７】先導ピースとリーダーテープとの連結構造に関する別実施例を示す正面図である。
【図８】先導ピースとリーダーテープとの連結構造に関する更に異なる別実施例を示す正面図である。
【符号の説明】
１  ケース本体
２  リール
３  テープ
４  テープ引出口
１２  リーダーテープ
１２ａ  リーダーテープの連結部
１３  先導ピース
１４  ピン
１４ａ  ピンのロック軸部
１４ｂ  ピンの巻付軸部
１４ｃ  ピンのアンカー部
１５  掛止アーム
１６  掛止溝
１７  導入案内面
１８  溝始端
２１  アーム受部
２２  ロックピース
２４  ロックアーム
２６  ばね
３０  段部
３１  切欠
５０  捕捉体
【図１】
0004393727.tif 000002
【図２】
0004393727.tif 000003
【図３】
0004393727.tif 000004
【図４】
0004393727.tif 000005
【図５】
0004393727.tif 000006
【図６】
0004393727.tif 000007
【図７】
0004393727.tif 000008
【図８】
0004393727.tif 000009